(57)【要約】【課題】  パネルに対して下方から仮固定したＵナットの落下を防止できるＵナットの仮固定構造の提供。【解決手段】  Ｕナット１が、雌螺子部３ｂを有する第１脚部３と、ボルト挿通孔４ｂを有する第２脚部４と、前記両脚部3,4同士を結合するブリッジ部５を備え、前記Ｕナット１を下方からパネル２の下端に装着して仮固定するＵナット１の仮固定構造において、Ｕナット１及びパネル２に、互いに係合して少なくともＵナット１の下方への移動を抑制する係止部（切欠部５ａ、突出部２ｂ）をそれぞれ形成した。【選択図】      図２
2006070938.tif 000002
【特許請求の範囲】
【請求項１】
Ｕナットが、雌螺子部を有する第１脚部と、ボルト挿通孔を有する第２脚部と、前記両脚部同士を結合するブリッジ部を備え、
前記Ｕナットを下方からパネルの下端に装着して仮固定するＵナットの仮固定構造において、
前記Ｕナット及びパネルに、互いに係合して少なくともＵナットの下方への移動を抑制する係止部をそれぞれ形成したことを特徴とするＵナットの仮固定構造。
【請求項２】
請求項１記載のＵナットの仮固定構造において、
前記Ｕナットの係止部をブリッジ部の一部を切欠して形成された切欠部とし、
前記パネルの係止部をパネルの下端から前後方向に突出して形成された突出部とし、
前記Ｕナットを下方からパネルの下端に装着する際に、前記両脚部は前後方向に開くように弾性変形してパネルの両脚部間への挿入を許容し、
前記切欠部が突出部に係合すると共に、前記両脚部が前後方向に閉じるように弾性変形して復元することにより、Ｕナットの下方への移動を抑制することを特徴とするＵナットの仮固定構造。
【請求項３】
請求項１記載のＵナットの仮固定構造において、
前記Ｕナットの係止部を第１脚部または第２脚部を一部切欠して内側へ折り曲げられた舌片状の舌片部とし、
前記パネルの係止部を前記舌片部の先端に対応する位置に開口された開口部とし、
前記Ｕナットを下方からパネルの下端に装着する際に、前記両脚部は前後方向に開くように弾性変形してパネルの両脚部間への挿入を許容し、
前記舌片部と開口部とが係合すると共に、前記両脚部が前後方向に閉じるように弾性変形して復元することにより、Ｕナットの下方への移動を抑制することを特徴とするＵナットの仮固定構造。
【請求項４】
請求項１〜３のうちいずれかに記載のＵナットの仮固定構造において、
前記パネルが樹脂製のラジエータコアサポートであることを特徴とするＵナットの仮固定構造。
【発明の詳細な説明】
【技術分野】
【０００１】
本発明は、Ｕナットの仮固定構造に関し、特にパネルに対して下方から仮固定したＵナットの落下を防止できるＵナットの仮固定構造に関する。
【背景技術】
【０００２】
従来、樹脂製等の脆弱なパネルと周辺部材等とをボルトで締結固定する際には、Ｕ字型断面形状のＵナットを介して両者を締結固定している（特許文献１参照）。
【特許文献１】特開平６−３２３３１７号公報
【発明の開示】
【発明が解決しようとする課題】
【０００３】
しかしながら、前述したＵナットの仮固定構造にあっては、Ｕナットをパネルに対して下方から装着した場合、ボルトを締結固定する作業中やＵナットが仮固定されたパネルの搬送中にＵナットの落下や位置ずれが生じ易いという問題点があった。
このような問題は、自動車産業においては、例えば、前工程で樹脂製のラジエータコアサポートに下方から複数の個所にＵナットを予め仮固定しておき、後工程で各Ｕナットに対応する周辺部材をボルトで締結固定する場合などに生じやすい。
【０００４】
本発明は上記課題を解決するためになされたものであって、その目的とするところは、パネルに対して下方から仮固定したＵナットの落下を防止できるＵナットの仮固定構造を提供することである。
【課題を解決するための手段】
【０００５】
本発明の請求項１記載の発明では、Ｕナットが、雌螺子部を有する第１脚部と、ボルト挿通孔を有する第２脚部と、前記両脚部同士を結合するブリッジ部を備え、前記Ｕナットを下方からパネルの下端に装着して仮固定するＵナットの仮固定構造において、前記Ｕナット及びパネルに、互いに係合して少なくともＵナットの下方への移動を抑制する係止部をそれぞれ形成したことを特徴とする。
【０００６】
請求項２記載の発明では、請求項１記載のＵナットの仮固定構造において、前記Ｕナットの係止部をブリッジ部の一部を切欠して形成された切欠部とし、前記パネルの係止部をパネルの下端から前後方向に突出して形成された突出部とし、前記Ｕナットを下方からパネルの下端に装着する際に、前記両脚部は前後方向に開くように弾性変形してパネルの両脚部間への挿入を許容し、前記切欠部が突出部に係合すると共に、前記両脚部が前後方向に閉じるように弾性変形して復元することにより、Ｕナットの下方への移動を抑制することを特徴とする。
【０００７】
本発明３記載の発明では、請求項１記載のＵナットの仮固定構造において、前記Ｕナットの係止部を第１脚部または第２脚部を一部切欠して内側へ折り曲げられた舌片状の舌片部とし、前記パネルの係止部を前記舌片部の先端に対応する位置に開口された開口部とし、前記Ｕナットを下方からパネルの下端に装着する際に、前記両脚部は前後方向に開くように弾性変形してパネルの両脚部間への挿入を許容し、前記舌片部と開口部とが係合すると共に、前記両脚部が前後方向に閉じるように弾性変形して復元することにより、Ｕナットの下方への移動を抑制することを特徴とする。
【０００８】
本発明４記載の発明では、請求項１〜３のうちいずれかに記載のＵナットの仮固定構造において、前記パネルが樹脂製のラジエータコアサポートであることを特徴とする。
【発明の効果】
【０００９】
請求項１記載の発明にあっては、Ｕナットが、雌螺子部を有する第１脚部と、ボルト挿通孔を有する第２脚部と、前記両脚部同士を結合するブリッジ部を備え、前記Ｕナットを下方からパネルの下端に装着して仮固定するＵナットの仮固定構造において、前記Ｕナット及びパネルに、互いに係合して少なくともＵナットの下方への移動を抑制する係止部をそれぞれ形成したため、係止部同士の係合によってパネルに対して下方から仮固定したＵナットの落下を防止できる。
【００１０】
請求項２記載の発明にあっては、Ｕナットの係止部をブリッジ部の一部を切欠して形成された切欠部とし、前記パネルの係止部をパネルの下端から前後方向に突出して形成された突出部とし、前記Ｕナットを下方からパネルの下端に装着する際に、前記両脚部は前後方向に開くように弾性変形してパネルの両脚部間への挿入を許容し、前記切欠部が突出部に係合すると共に、前記両脚部が前後方向に閉じるように弾性変形して復元することにより、Ｕナットの下方への移動を抑制するため、両脚部間にパネルを挿入するようにＵナットを下方からパネルの下端に装着するという簡便な作業でもってＵナットをパネルに仮固定できると同時に、Ｕナットの落下を防止できる。
また、Ｕナットの係止部である切欠部をブリッジ部に設けたため、パネルをブリッジ部まで挿入した状態で両者を固定でき、安定した状態でＵナットを仮固定できる。
【００１１】
請求項３記載の発明にあっては、Ｕナットの係止部を第１脚部または第２脚部を一部切欠して内側へ折り曲げられた舌片状の舌片部とし、前記パネルの係止部を前記舌片部の先端に対応する位置に開口された開口部とし、前記Ｕナットを下方からパネルの下端に装着する際に、前記両脚部は前後方向に開くように弾性変形してパネルの両脚部間への挿入を許容し、前記舌片部と開口部とが係合すると共に、前記両脚部が前後方向に閉じるように弾性変形して復元することにより、Ｕナットの下方への移動を抑制するため、両脚部間にパネルを挿入するようにＵナットを下方からパネルの下端に装着するという簡便な作業でもってＵナットをパネルに仮固定できると同時に、Ｕナットの落下を防止できる。
また、Ｕナットの係止部を舌片状の舌片部としたため、より少ない力で両脚部間にパネルを挿入できる。
【００１２】
請求項４記載の発明にあっては、パネルが樹脂製のラジエータコアサポートであることとしたため、前工程でラジエータコアサポートにＵナットを仮固定しておき、後工程でＵナットを介して周辺部材を固定することができ、周辺部材を固定するためのＵナットが複数必要となるこの種のラジエータコアサポートの生産性を大幅に向上できる。
【発明を実施するための最良の形態】
【００１３】
以下、この発明の実施例を図面に基づいて説明する。
【実施例１】
【００１４】
図１は本発明の実施例１のＵナットの仮固定構造を説明する全体斜視図、図２は図１のＳ２−Ｓ２線における断面図、図３は本実施例１のＵナットのパネルへの仮固定を説明する図、図４は本実施例１のＵナットのパネルへの仮固定を説明する図である。
図５は本実施例１のＵナットの仮固定構造が採用されたＵナットに固定されるブラケットの固定前を説明する図、図６は本実施例１のＵナットの仮固定構造が採用されたＵナットに固定されるブラケットの固定後を説明する図である。
【００１５】
図１、２に示すように、本実施例１のＵナットの仮固定構造では、金属製のＵナット１と樹脂製のパネル２を主要な構成としている。
前記Ｕナット１は、第１脚部３と、第２脚部４と、ブリッジ部５で略Ｕ字型断面形状に構成されている。
前記第１脚部３は、前後方向に傾斜した先導端部３ａと、後述するボルトＢに螺合する螺子孔３ｃを備える雌螺子部３ｂが設けられている。
前記第２脚部４は、先導端部３ａと略同じ高さに位置する先端部４ａと、螺子孔３ｃの径よりも幾分大きな径のボルト挿通孔４ｂが設けられている。
前記ブリッジ部５は、前記両脚部3,4の基端同士を円弧状に結合すると共に、その中央下端一部が半円状に切欠されて、ここに切欠部５ａ（Ｕナットの係止部に相当）が形成され、これによりブリッジ部５は、切欠部５ａを挟んで第１ブリッジ部５ｂ、第２ブリッジ部５ｃで構成されている。
前記パネル２は、前記Ｕナット１の螺子孔３ｃ及びボルト挿通孔４ｂの中心軸（一点鎖線で図示）と一致する中心軸を有し、且つ、螺子孔３ｃの径と略同一の径を有するボルト挿通孔２ａを備えている他、その下端には前後方向に突出してＵナット１の切欠部５ａの上部に係合した突出部２ｂ（パネルの係止部に相当）が形成されている。
なお、前記突出部２ｂの下端は傾斜状の傾斜部２ｃが形成されている。
【００１６】
次に、作用を説明する。
このように構成されたＵナット１とパネル２を仮固定する際には、先ず、図３、図４（ａ）に示すように、Ｕナット１をパネル２の下方に配置した後、両脚部3,4の間にパネル２を挿入するように該Ｕナット１を下方から装着する。
この際、第１脚部３の先端には、先導端部３ａが形成されているため、該先導端部３ａにパネル２の下端一部２ｄを摺動させて容易に挿入できる。
【００１７】
また、Ｕナット１の装着中は、図４（ｂ）に示すように、両脚部3,4が、パネル２の下端一部２ｄと突出部２ｂに摺動して前後方向に開くように弾性変形してパネル２の両脚部間3,4への挿入を許容する。
この際、突出部２ｂには傾斜部２ｃが形成されているため、該突出部２ｂが第２脚部４のボルト挿通孔４ｂに引っ掛かる虞がなく、スムーズに挿入できる。
【００１８】
続いて、図４（ｃ）に示すように、切欠部５ａと突出部２ｂが係合すると共に両脚部3,4が前後方向に閉じるように弾性変形して復元し、Ｕナット１のボルト挿通孔４ｂ及び螺子孔３ｃ、パネル２のボルト挿通孔２ａの中心軸（一点鎖線で図示）を一致させた状態でＵナット１の仮固定を終了する。
この際、ブリッジ部５は、第１ブリッジ部５ｂ及び第２ブリッジ部５ｃで構成されるため、切欠部５ａが形成されない場合に比べて両脚部3,4を比較的弱い力でもって前後方向に開閉するように弾性変形させることができる。
また、前記突出部２ｂは切欠部５ａに係合してＵナット１を下方から支持し、これによりＵナット１の下方への移動を抑制してＵナット１の落下を防止できる。
加えて、両脚部3,4の内側がパネル２にそれぞれ当接するため、Ｕナット１のボルト挿通孔４ｂ及び雌螺子部３ｂの中心軸と、パネル２のボルト挿通孔２ａの中心軸が振動等により位置ずれするのを防止できる。
【００１９】
このように構成されたＵナット１の仮固定構造は、樹脂製のラジエータコアサポートの製造に採用され、例えば、図５に示すように、前工程として樹脂製のラジエータコアサポートロア６の各パネル部７（パネルに相当）にＵナット１を予めそれぞれ仮固定しておき、図６に示すように、後工程で各Ｕナット１を介してパワーステアリング用オイルクーラのパイプ（図示せず）を固定するためのブラケット８をボルトＢで固定でき、この際、Ｕナット１によりボルトＢの座面を確保して適切に締結固定できる他、ボルトＢの締結時の力によるラジエータコアサポートロア６の亀裂・破損を防止できる。
【００２０】
従って、Ｕナット１の仮固定時における落下を防止したことにより、ラジエータコアサポートを含むフロントエンドモジュールの製造時には、前工程として複数のＵナット１を予め仮固定した状態でフロントエンドモジュールを車体の組立工場に搬送し、後工程で前述したブラケット８やその他の様々な周辺部材を固定することができ、これにより、ラジエータコアサポートを含むフロントエンドモジュール、ひいては自動車の効率的な生産性の向上を実現できる。
【００２１】
次に、効果を説明する。
このように構成されたＵナットの仮固定構造では、Ｕナット１が、雌螺子部３ｂを有する第１脚部３と、ボルト挿通孔４ｂを有する第２脚部４と、両脚部3,4同士を結合するブリッジ部５を備え、Ｕナット１を下方からパネル２の下端に装着して仮固定するＵナット１の仮固定構造において、Ｕナット１及びパネル２に、互いに係合して少なくともＵナット１の下方への移動を抑制する係止部（切欠部５ａ、突出部２ｂ）をそれぞれ形成したため、Ｕナット１を下方からパネル２の下端に装着して仮固定した際にＵナット１が落下するのを防止できる。
【００２２】
また、Ｕナット１の係止部をブリッジ部５の一部を切欠して形成された切欠部５ａとし、パネル２の係止部をパネル２の下端から前後方向に突出して形成された突出部２ｂとし、Ｕナット１を下方からパネル２の下端に装着する際に、両脚部3,4は前後方向に開くように弾性変形してパネル２の両脚部3,4間への挿入を許容し、切欠部５ａが突出部２ｂに係合すると共に、両脚部3,4が前後方向に閉じるように弾性変形して復元することにより、Ｕナット１の下方への移動を抑制するため、両脚部3,4間にパネル２を配置するようにＵナット１を下方から挿入するという簡便な作業でもってＵナット１をパネル２の下端に仮固定できると同時に、Ｕナット１の落下を防止できる。
また、Ｕナット１の係止部である切欠部５ａをブリッジ部５に設けたため、両脚部3,4間にパネル２をブリッジ部１ｃまで挿入することになり、より安定した状態で確実に両者を固定できる。
【００２３】
また、パネル２が樹脂製のラジエータコアサポートロア６としたため、前工程でラジエータコアサポートロア６に複数のＵナット１を仮固定しておき、後工程で各Ｕナット１を介してブラケット８を固定することができ、この種のラジエータコアサポートの生産性を大幅に向上できる。
【実施例２】
【００２４】
以下、実施例２を説明する。
なお、本発明の実施例２のＵナットの仮固定構造では、前記実施例１で説明したＵナットの係止部を、第１脚部または第２脚部を一部切欠して内側へ折り曲げられた舌片状の舌片部とし、パネルの係止部を前記舌片部の先端に対応する位置に開口された開口部としたこと以外は前記実施例１と同様であるため、同一の構成部材については同一の符号を付してその説明は省略し、相違点のみ詳述する。
【００２５】
図７は本発明の実施例２のＵナットの仮固定構造を説明する全体斜視図、図８は図７のＳ８−Ｓ８線における断面図、図９は本実施例２のＵナットのパネルへの仮固定を説明する図、図１０は本実施例２のＵナットのパネルへの仮固定を説明する図である。
【００２６】
図７、８に示すように、本実施例２のＵナットの仮固定構造では、第２脚部４のボルト挿通孔４ｂの上方一部を切欠して内側へ湾曲して折り返された舌片状の舌片部２０（Ｕナットの係止部に相当）が形成されている。
また、前記舌片部２０の先端に対応する位置に矩形状の開口部２１（パネルの係止部に相当）が形成されている。
【００２７】
次に、作用を説明する。
このように構成されたＵナット１とパネル２を仮固定する際には、先ず、図９、図１０（ａ）に示すように、Ｕナット１をパネル２の下方に配置した後、両脚部3,4の間にパネル２を挿入するように装着する。
この際、第１脚部３には先導端部３ａが形成されているため、該先導端部１ａにパネル２の下端一部２ｄを摺動させて容易に挿入できる。
【００２８】
また、Ｕナット１の装着中は、図１０（ｂ）に示すように、第２脚部１ｂの舌片部２０と第１脚部１ａがパネル２の下端一部2d,22に摺動することにより前後方向に開くように弾性変形してパネル２の両脚部3,4間への挿入を許容する。
この際、舌片部２０は、外側へ弾性変形しながら両脚部3,4に当接するため、より少ない力でパネル２を両脚部3,4間へ挿入できる。
【００２９】
続いて、図１０（ｃ）に示すように、前記舌片部２０と開口部２１が係合すると共に、両脚部3,4が前後方向に閉じるように弾性変形して復元し、Ｕナット１のボルト挿通孔４ａ及び螺子孔３ｃ、パネル２のボルト挿通孔２ａの中心軸が一致した状態でＵナット１の仮固定を終了する。
この際、前述したように舌片部２０は、ボルト挿通孔４ｂの上方一部を切欠して形成され、開口部２１は舌片部２０に対応した位置に形成されるため、両脚部3,4を前後方向に開閉するように弾性変形させる変形幅を小さくでき、換言すれば、より少ない力で舌片部２０と開口部２１を係合できる。
また、前記舌片部２０は、開口部２１に係合してＵナット１を下方から支持して下方への移動を抑制し、これによりＵナット１の落下を防止できる。
加えて、両脚部3,4の内側がパネル２にそれぞれ当接するため、Ｕナット１のボルト挿通孔４ａ及び螺子孔３ｃの中心軸と、パネル２のボルト挿通孔の中心軸が振動などにより位置ずれするのを防止できる。
【００３０】
次に、効果を説明する。
このように構成されたＵナット１の仮固定構造では、Ｕナット１の係止部を第２脚部３のボルト挿通孔２ａを一部切欠して内側へ折り曲げられた舌片状の舌片部２０とし、パネル２の係止部を舌片部２０の先端に対応する位置に開口された開口部２１とし、Ｕナット１を下方からパネル２の下端に装着する際に、両脚部3,4は前後方向に開くように弾性変形してパネル２の両脚部3,4間への挿入を許容し、舌片部２０と開口部２１とが係合すると共に、両脚部3,4が前後方向に閉じるように弾性変形して復元することにより、Ｕナット１の下方への移動を抑制するため、両脚部3,4間にパネル２を挿入するようにＵナット１を下方からパネル２に装着するという簡便な作業でもってＵナット１をパネル２の下端に仮固定できると同時に、Ｕナット１の落下を防止できる。
また、Ｕナット１の係止部を舌片状の舌片部２０としたため、より少ない力で両脚部3,4間にパネル２を挿入できる。
【００３１】
以上、本実施例を説明してきたが、本発明は上述の実施例に限られるものではなく、本発明の要旨を逸脱しない範囲の設計変更等があっても、本発明に含まれる。
例えば、本実施例１で説明した突出部２ｂの設置位置、設置数、形状については適宜設定でき、図１１、１２に示すように、突出部２ｂの上部に傾斜部３０を円弧状に形成し、Ｕナット１をパネル２に対して下方から装着した後、所定位置まで側方にスライドさせて仮固定できるようにしても良い。この場合、突出部２ｂが第２脚部４のボルト挿通孔４ｂに引っ掛かる虞がない上、より少ない力でＵナット１を仮固定できる。
同様に、本実施例２で説明した舌片部２０、開口部２１の設置位置、設置数、形状についても適宜設定でき、図１３〜１５に示すように第１脚部３に開口された開口部３２を設け、該開口部３２の一部を切欠してここにＳ字型断面形状に形成された舌片部３１を設けてＵナット１を本実施例２と同様に仮固定ささせても良い。
【００３２】
さらに、本実施例では、Ｕナット１をラジエータコアサポートロア６のパネル部７に仮固定した場合について説明したが、ラジエータコアサポートに限らず様々な対象物に対して本発明のＵナットの仮固定構造を適用できることはいうまでもない。
【図面の簡単な説明】
【００３３】
【図１】本発明の実施例１のＵナットの仮固定構造を説明する全体斜視図である。
【図２】図１のＳ２−Ｓ２線における断面図である。
【図３】本実施例１のＵナットのパネルへの仮固定を説明する図である。
【図４】本実施例１のＵナットのパネルへの仮固定を説明する図である。
【図５】本実施例１のＵナットの仮固定構造が採用されたＵナットに固定されるブラケットの固定前を説明する図である。
【図６】本実施例１のＵナットの仮固定構造が採用されたＵナットに固定されるブラケットの固定後を説明する図である。
【図７】本発明の実施例２のＵナットの仮固定構造を説明する全体斜視図である。
【図８】図７のＳ８−Ｓ８線における断面図である。
【図９】本実施例２のＵナットのパネルへの仮固定を説明する図である。
【図１０】本実施例２のＵナットのパネルへの仮固定を説明する図である。
【図１１】その他の実施例のＵナットのパネルへの仮固定を説明する図である。
【図１２】その他の実施例のＵナットのパネルへの仮固定を説明する図である。
【図１３】その他の実施例のＵナットのパネルへの仮固定を説明する図である。
【図１４】図１３のＳ１４−Ｓ１４線における断面図であり、その他の実施例のＵナットのパネルへの仮固定を説明する図である。
【図１５】その他の実施例のＵナットのパネルへの仮固定を説明する図である。
【符号の説明】
【００３４】
Ｂ  ボルト
１  Ｕナット
２  パネル
２ａ、４ｂ  ボルト挿通孔
２ｂ  突出部
２ｃ、３０  傾斜部
２ｄ、２２  下端一部
３  第１脚部
３ａ  先導端部
３ｂ  雌螺子部
３ｃ  螺子孔
４  第２脚部
４ａ  先端部
５  ブリッジ部
５ａ  切欠部
６  ラジエータコアサポートロア
７  パネル部
８  ブラケット
２０、３１  舌片部
２１、３２  開口部
【図１】
2006070938.tif 000003
【図２】
2006070938.tif 000004
【図３】
2006070938.tif 000005
【図４】
2006070938.tif 000006
【図５】
2006070938.tif 000007
【図６】
2006070938.tif 000008
【図７】
2006070938.tif 000009
【図８】
2006070938.tif 000010
【図９】
2006070938.tif 000011
【図１０】
2006070938.tif 000012
【図１１】
2006070938.tif 000013
【図１２】
2006070938.tif 000014
【図１３】
2006070938.tif 000015
【図１４】
2006070938.tif 000016
【図１５】
2006070938.tif 000017